(57)【要約】  複数のサービスを介して通信するように構成されたネットワークでは、各サービスは、1つまたは複数のSR構成を有する場合がある。実施形態では、プロセッサは、対応する構成によって定義される異なるサービスのSR機会が少なくとも部分的に重複するSR衝突を検出してもよい。少なくとも検出された潜在的な衝突に基づいて、プロセッサは、衝突を解決するための措置を講じてもよい。
2021507549.tif 000002
【特許請求の範囲】
【請求項１】
ユーザ機器(UE)によるワイヤレス通信の方法であって、
複数のスケジューリング要求(SR)構成を識別するステップであり、各SR構成が、前記UEが基地局とそれを介して通信する複数のサービスの中の1つまたは複数のサービスに関連付けられる、ステップと、
前記複数のSR構成に基づいてSR衝突の潜在的な発生を検出するステップであり、SR衝突が、前記複数のサービスの中の第1のサービスのSR機会と前記複数のサービスの中の第2のサービスのSR機会とが少なくとも部分的に重複したときに発生する、ステップと、
前記SR衝突の前記潜在的な発生を解決するステップと、
前記SR衝突の前記潜在的な発生の解決に従って前記基地局と通信するステップと
を含む方法。
【請求項２】
前記SR衝突の前記潜在的な発生を解決する前記ステップが、
前記第1のサービスの優先度および前記第2のサービスの優先度を決定するステップ
を含み、通信する前記ステップが、
前記第1のサービスが前記第2のサービスよりも高い優先度を有するとき、前記第1のサービスに関連付けられたSRを送信するステップと、
前記第2のサービスが前記第1のサービスよりも低い優先度を有するとき、前記第2のサービスに関連付けられたSRの送信を控えるステップと
を含む、
請求項1に記載の方法。
【請求項３】
控える前記ステップが、前記送信を実行するUEの送信電力レベルに基づいて実行される、請求項2に記載の方法。
【請求項４】
前記SR衝突の前記潜在的な発生を解決するステップが、
SR機会の間に、前記対応するSR構成に基づいて前記複数のサービスの各々についてのスケジューリング要求を送信するステップ
を含む、請求項1に記載の方法。
【請求項５】
前記SR衝突の前記潜在的な発生を解決するステップが、
現在送信中の1つまたは複数のSRを中断するステップと、
SR機会の間に異なる1つまたは複数のSRを送信するステップと
を含む、請求項1に記載の方法。
【請求項６】
前記中断された1つまたは複数のSRが、前記異なる1つまたは複数のSRよりも低い優先度を有する、請求項5に記載の方法。
【請求項７】
前記SR衝突の前記潜在的な発生を解決するステップが、
前記少なくとも部分的に重複するSR機会を検出するステップと、
前記少なくとも部分的に重複するSR機会の1つまたは複数でSR送信を一時停止するステップと
を含む、請求項1に記載の方法。
【請求項８】
前記SR衝突の前記潜在的な発生を解決するステップが、
前記複数のサービスのうちの1つまたは複数の低優先度のサービスのSRを一時停止するステップ
を含む、請求項1に記載の方法。
【請求項９】
1つまたは複数の低優先度サービスを識別する制御信号を受信するステップと、
前記制御信号に基づいて、1つまたは複数の低優先度サービスのSRを一時停止するステップと
をさらに含む請求項1に記載の方法。
【請求項１０】
前記1つまたは複数のSRが1ビットSRである、請求項2に記載の方法。
【請求項１１】
前記1つまたは複数のSRがマルチビットSRである、請求項2に記載の方法。
【請求項１２】
マルチビットSRが、複数のサービスのためにSRをシグナリングする単一のSR送信である、請求項11に記載の方法。
【請求項１３】
前記第1のサービスの前記SR機会、前記第2のサービスの前記SR機会、またはその両方が非周期的なSR機会でもよい、請求項2に記載の方法。
【請求項１４】
前記複数のサービスのうちの少なくとも1つが、複数のSR構成に関連付けられている、請求項2に記載の方法。
【請求項１５】
ワイヤレス通信のための装置であって、
複数のスケジューリング要求(SR)構成を識別するための手段であり、各SR構成が、UEが基地局とそれを介して通信する複数のサービスの中の1つまたは複数のサービスに関連付けられる、手段と、
前記複数のSR構成に基づいてSR衝突の潜在的な発生を検出するための手段であり、SR衝突が、前記複数のサービスの中の第1のサービスのSR機会と前記複数のサービスの中の第2のサービスのSR機会とが少なくとも部分的に重複したときに発生する、手段と、
前記SR衝突の前記潜在的な発生を解決するための手段と、
前記SR衝突の前記潜在的な発生の解決に従って前記基地局と通信するための手段と
を含む装置。
【請求項１６】
前記SR衝突の前記潜在的な発生を前記解決することが、
前記第1のサービスの優先度および前記第2のサービスの優先度を決定するための手段
を含み、前記通信することが、
前記第1のサービスが前記第2のサービスよりも高い優先度を有するとき、前記第1のサービスに関連付けられたSRを送信するための手段と、
前記第2のサービスが前記第1のサービスよりも低い優先度を有するとき、前記第2のサービスに関連付けられたSRの送信を控えるための手段と
を含む、
請求項15に記載の装置。
【請求項１７】
前記控えることが、前記送信を実行するUEの送信電力レベルに基づいて実行される、請求項16に記載の装置。
【請求項１８】
前記SR衝突の前記潜在的な発生を解決するための前記手段が、
SR機会の間に、前記対応するSR構成に基づいて前記複数のサービスの各々についてのスケジューリング要求を送信するための手段
を含む、請求項15に記載の装置。
【請求項１９】
前記SR衝突の前記潜在的な発生を解決するための前記手段が、
現在送信中の1つまたは複数のSRを中断するための手段と、
SR機会の間に異なる1つまたは複数のSRを送信するための手段と
を含む、請求項15に記載の装置。
【請求項２０】
前記中断された1つまたは複数のSRが、前記異なる1つまたは複数のSRよりも低い優先度を有する、請求項19に記載の装置。
【請求項２１】
前記SR衝突の前記潜在的な発生を解決するための前記手段が、
前記スケジュールされた重複の前に、前記少なくとも部分的に重複するSR機会を検出するための手段と、
前記少なくとも部分的に重複するSR機会の1つまたは複数でSR送信を一時停止するための手段と
を含む、請求項15に記載の装置。
【請求項２２】
前記SR衝突の前記潜在的な発生を解決するための前記手段が、
前記複数のサービスのうちの1つまたは複数の低優先度のサービスのSRを一時停止するための手段
を含む、請求項15に記載の装置。
【請求項２３】
1つまたは複数の低優先度サービスを識別する制御信号を受信するための手段と、
前記制御信号に基づいて、前記1つまたは複数の低優先度サービスのSRを一時停止するための手段と
をさらに含む請求項15に記載の装置。
【請求項２４】
前記1つまたは複数のSRが1ビットSRである、請求項16に記載の装置。
【請求項２５】
前記1つまたは複数のSRがマルチビットSRである、請求項16に記載の装置。
【請求項２６】
マルチビットSRが、複数のサービスのためにSRをシグナリングする単一のSR送信である、請求項25に記載の装置。
【請求項２７】
前記第1のサービスの前記SR機会、前記第2のサービスの前記SR機会、またはその両方が非周期的なSR機会でもよい、請求項16に記載の装置。
【請求項２８】
前記複数のサービスのうちの少なくとも1つが、複数のSR構成に関連付けられている、請求項16に記載の装置。
【請求項２９】
プログラムコードを記録した非一時的コンピュータ可読記憶媒体であって、前記プログラムコードが、
複数のスケジューリング要求(SR)構成を識別するためのコードであり、各SR構成が、UEが基地局とそれを介して通信する複数のサービスの中の1つまたは複数のサービスに関連付けられる、コードと、
前記複数のSR構成に基づいてSR衝突の潜在的な発生を検出するためのコードであり、SR衝突が、前記複数のサービスの中の第1のサービスのSR機会と前記複数のサービスの中の第2のサービスのSR機会とが少なくとも部分的に重複したときに発生する、コードと、
前記SR衝突の前記潜在的な発生を解決するためのコードと、
前記SR衝突の前記潜在的な発生の解決に従って前記基地局と通信するためのコードと
を含む、非一時的コンピュータ可読記憶媒体。
【請求項３０】
前記SR衝突の前記潜在的な発生を前記解決することが、
前記第1のサービスの優先度および前記第2のサービスの優先度を決定するためのコード
を含み、通信のための前記コードが、
前記第1のサービスが前記第2のサービスよりも高い優先度を有するとき、前記第1のサービスに関連付けられたSRを送信するためのコードと、
前記第2のサービスが前記第1のサービスよりも低い優先度を有するとき、前記第2のサービスに関連付けられたSRの送信を控えるためのコードと
を含む、
請求項29に記載の非一時的コンピュータ可読記憶媒体。
【請求項３１】
SR衝突の前記潜在的な発生を解決するための前記コードが、
現在送信中の1つまたは複数のSRを中断するためのコードと、
SR機会の間に異なる1つまたは複数のSRを送信するためのコードと
を含む、請求項29に記載の非一時的コンピュータ可読記憶媒体。
【請求項３２】
ワイヤレス通信のために構成された装置であって、
複数の異なるサービスを介して基地局と通信するように構成された送受信機であり、前記複数のサービスの各サービスが、対応するスケジューリング要求(SR)構成を有する、送受信機と、
前記複数のSR構成に基づいてSR衝突の潜在的な発生を検出し、SR衝突が、前記複数のサービスの中の第1のサービスのSR機会と前記複数のサービスの中の第2のサービスのSR機会とが少なくとも部分的に重複したときに発生し、
前記SR衝突の前記潜在的な発生を解決し、
前記SR衝突の前記潜在的な発生の解決に従って前記基地局と通信する
ように構成された少なくとも1つのプロセッサと
を含む装置。
【請求項３３】
前記第1のサービスが前記第2のサービスよりも高い優先度を有するとき、前記第1のサービスに関連付けられたSRを送信するように構成された送信機をさらに含み、前記少なくとも1つのプロセッサが、前記第1のサービスの優先度および前記第2のサービスの優先度を決定し、前記送信機に、前記第2のサービスが前記第1のサービスよりも低い優先度を有するとき、前記第2のサービスに関連付けられたSRの送信を控えさせるようにさらに構成される、
請求項32に記載の装置。
【請求項３４】
前記少なくとも1つのプロセッサが、前記送信機に、少なくとも前記装置の送信電力レベルに基づいて、送信を控えさせる、請求項33に記載の装置。
【請求項３５】
前記少なくとも1つのプロセッサが、1つまたは複数のSRの送信を中断し、送信機に、SR機会の間に異なる1つまたは複数のSRを送信させるようにさらに構成される、請求項32に記載の装置。
【請求項３６】
前記中断された1つまたは複数のSRが、前記異なる1つまたは複数のSRよりも低い優先度を有する、請求項35に記載の装置。
【請求項３７】
前記少なくとも1つのプロセッサが、少なくとも部分的に、前記少なくとも部分的に重複するSR機会を検出し、前記少なくとも部分的に重複するSR機会の1つまたは複数でSR送信を一時停止することによって、SR衝突の前記潜在的な発生を解決するようにさらに構成される、請求項32に記載の装置。
【請求項３８】
前記少なくとも1つのプロセッサが、少なくとも部分的に、前記複数のサービスの中の1つまたは複数の低優先度サービスのSRを一時停止することによって、SR衝突の前記潜在的な発生を解決するようにさらに構成される、請求項32に記載の装置。
【請求項３９】
1つまたは複数の低優先度サービスを識別する制御信号を受信するように構成された受信機であり、前記少なくとも1つのプロセッサが、前記制御信号に基づいて、前記1つまたは複数の低優先度サービスのSRを一時停止するように構成される、受信機
をさらに含む、請求項32に記載の装置。
【請求項４０】
前記1つまたは複数のSRが1ビットである、請求項33に記載の装置。
【請求項４１】
前記1つまたは複数のSRがマルチビットSRである、請求項33に記載の装置。
【請求項４２】
マルチビットSRが、複数のサービスのためにSRをシグナリングする単一のSR送信である、請求項41に記載の装置。
【請求項４３】
前記第1のサービスの前記SR機会、前記第2のサービスの前記SR機会、またはその両方が非周期的なSR機会でもよい、請求項33に記載の装置。
【請求項４４】
前記複数のサービスのうちの少なくとも1つが、複数のSR構成に関連付けられている、請求項33に記載の装置。
【発明の詳細な説明】
【技術分野】
【０００１】
関連出願の相互参照
本出願は、両方の開示が、以下に完全に記載されるかのように、かつすべての適用可能な目的のために、参照により本明細書にその全体が組み込まれる、2017年8月11日に出願された「SR CONFIGURATION FOR ENABLING SERVICES OF DIFFERENT PRIORITIES」という名称の米国仮特許出願第62/544,701号、および2018年8月8日に出願された「SR CONFIGURATION FOR ENABLING SERVICES OF DIFFERENT PRIORITIES」という名称の米国非仮特許出願第16/058,731号の利益を主張する。
【０００２】
本開示の態様は、一般に、ワイヤレス通信システムに関し、より詳細には、複数の通信サービスをサポートするネットワークにおいてSRを管理することに関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークである場合がある。通常は多元接続ネットワークであるそのようなネットワークは、利用可能なネットワークリソースを共有することによって、複数のユーザのための通信をサポートする。そのようなネットワークの一例が、ユニバーサル地上波無線アクセスネットワーク(UTRAN:Universal Terrestrial Radio Access Network)である。UTRANは、第3世代パートナーシッププロジェクト(3GPP)によってサポートされる第3世代(3G)モバイルフォン技術である、ユニバーサルモバイルテレコミュニケーションシステム(UMTS:Universal Mobile Telecommunications System)の一部として定められた無線アクセスネットワーク(RAN)である。多元接続ネットワークフォーマットの例には、符号分割多元接続(CDMA(登録商標))ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークが含まれる。
【０００４】
ワイヤレス通信ネットワークは、いくつかのユーザ機器(UE)のための通信をサポートすることができる、いくつかの基地局またはノードBを含み得る。UEは、ダウンリンクおよびアップリンクを介して基地局と通信してもよい。ダウンリンク(または順方向リンク)は基地局からUEへの通信リンクを指し、アップリンク(または逆方向リンク)はUEから基地局への通信リンクを指す。
【０００５】
基地局は、ダウンリンク上でUEにデータおよび制御情報を送信してよく、かつ/またはアップリンク上でUEからデータおよび制御情報を受信してよい。ダウンリンク上で、基地局からの送信は、ネイバー基地局からの、または他のワイヤレス無線周波数(RF)送信機からの送信に起因する干渉を受ける場合がある。アップリンク上で、UEからの送信は、ネイバー基地局と通信する他のUEのアップリンク送信からの、または他のワイヤレスRF送信機からの干渉を受ける場合がある。この干渉は、ダウンリンクとアップリンクの両方において性能を低下させる場合がある。
【０００６】
モバイルブロードバンドアクセスに対する需要が増加し続けるにつれて、より多くのUEが長距離ワイヤレス通信ネットワークにアクセスし、より多くの短距離ワイヤレスシステムが地域に展開されることに伴って、干渉および輻輳ネットワークの可能性が高まっている。モバイルブロードバンドアクセスへの増大する需要を満たすためだけではなく、モバイル通信のユーザエクスペリエンスを進化および向上させるために、ワイヤレス技術を進化させるための研究開発が続けられている。
【発明の概要】
【課題を解決するための手段】
【０００７】
本開示の一態様では、ワイヤレス通信の方法が開示される。この方法は、対応するスケジューリング要求(SR)構成を各々有する複数の異なるサービスを介して通信するステップと、複数のSR構成に基づいてSR衝突の潜在的な発生を検出するステップであり、SR衝突は、複数のサービスの中の第1のサービスのSR機会と複数のサービスの中の第2のサービスのSR機会とが少なくとも部分的に重複したときに発生する、ステップと、SR衝突の潜在的な発生を解決するステップとを含んでもよい。
【０００８】
本開示の追加の態様では、ワイヤレス通信のシステムが開示される。このシステムは、対応するスケジューリング要求(SR)構成を各々有する複数の異なるサービスを介して通信するための手段と、複数のSR構成に基づいてSR衝突の潜在的な発生を検出するための手段であり、SR衝突は、複数のサービスの中の第1のサービスのSR機会と複数のサービスの中の第2のサービスのSR機会とが少なくとも部分的に重複したときに発生する、手段と、SR衝突の潜在的な発生を解決するための手段とを含んでもよい。
【０００９】
本開示の追加の態様では、プログラムコードを記憶した非一時的コンピュータ可読媒体が開示される。プログラムコードは、対応するスケジューリング要求(SR)構成を各々有する複数の異なるサービスを介して通信するためのコードと、複数のSR構成に基づいてSR衝突の潜在的な発生を検出するためのコードであり、SR衝突は、複数のサービスの中の第1のサービスのSR機会と複数のサービスの中の第2のサービスのSR機会とが少なくとも部分的に重複したときに発生する、コードと、SR衝突の潜在的な発生を解決するためのコードとをさらに含む。
【００１０】
本開示の追加の態様では、ワイヤレス通信のために構成された装置が開示される。装置は、少なくとも1つのプロセッサと、プロセッサに結合されたメモリとを含む。プロセッサは、複数のSR構成に基づいてSR衝突の潜在的な発生を検出するように構成され、SR衝突は、複数のサービスの中の第1のサービスのSR機会と複数のサービスの中の第2のサービスのSR機会とが少なくとも部分的に重複したときに発生し、SR衝突の潜在的な発生を解決するようにさらに構成される。さらに、送受信機は、対応するスケジューリング要求(SR)構成を各々有する複数の異なるサービスを介して通信するように構成されてもよい。
【００１１】
上記は、以下の詳細な説明がより良く理解され得るように、本開示による例の特徴および技術的利点をかなり広範に概説している。以下で、追加の特徴および利点について説明する。開示する概念および具体例は、本開示の同じ目的を実行するために他の構造を変更または設計するための基礎として容易に利用され得る。そのような均等な構成は、添付の特許請求の範囲から逸脱しない。本明細書で開示する概念の特性、それらの構成と動作方法の両方が、関連する利点とともに、添付の図に関して検討されると以下の説明からより良く理解されよう。図の各々は、例示および説明のために提供され、特許請求の範囲の限定の定義として提供されるものではない。
【００１２】
以下の図面を参照することによって、本開示の本質および利点のさらなる理解が実現され得る。添付の図面では、同様の構成要素または特徴は、同じ参照ラベルを有することがある。さらに、同じタイプの様々な構成要素が、参照ラベルにダッシュと同様の構成要素の間で区別する第2のラベルとを続けることによって区別される場合がある。第1の参照ラベルのみが本明細書において使用される場合、その説明は、第2の参照ラベルにかかわらず、同じ第1の参照ラベルを有する同様の構成要素のいずれにも適用可能である。
【図面の簡単な説明】
【００１３】
【図１】ワイヤレス通信システムの詳細を示すブロック図である。
【図２】本開示の一態様に従って構成された基地局およびUEの設計を示すブロック図である。
【図３】本開示の一態様による通信の詳細を示すタイミング図である。
【図４Ａ】本開示の一態様による通信の詳細を示すタイミング図である。
【図４Ｂ】本開示の一態様による通信の詳細を示すタイミング図である。
【図５Ａ】本開示の一態様による通信の詳細を示すフローチャートである。
【図５Ｂ】本開示の一態様による通信の詳細を示すフローチャートである。
【図５Ｃ】本開示の一態様による通信の詳細を示すフローチャートである。
【発明を実施するための形態】
【００１４】
添付の図面および付録に関連して以下に記載される詳細な説明は、様々な構成の説明を目的としたものであり、本開示の範囲を制限することを意図したものではない。むしろ、詳細な説明は、本発明の主題を完全に理解してもらうために具体的な詳細を含む。これらの具体的な詳細がすべての場合に必要であるとは限らないこと、および場合によっては、提示を明快にするために、よく知られている構造および構成要素がブロック図の形態で示されることは当業者には明らかであろう。
【００１５】
本開示は、一般に、ワイヤレス通信ネットワークとも呼ばれる、2つ以上のワイヤレス通信システムの間の許可された共有アクセスを提供すること、またはそれに参加することに関する。様々な実施形態では、技法および装置は、符号分割多元接続(CDMA(登録商標))ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワーク、LTEネットワーク、GSM(登録商標)ネットワーク、第5世代(5G)またはニューラジオ(NR)ネットワーク、ならびに他の通信ネットワークなどのワイヤレス通信ネットワークに使用される場合がある。本明細書で説明する「ネットワーク」および「システム」という用語は、互換的に使用され得る。
【００１６】
OFDMAネットワークは、発展型UTRA(E-UTRA)、IEEE802.11、IEEE802.16、IEEE802.20、フラッシュOFDMなどの無線技術を実装し得る。UTRA、E-UTRA、およびGlobal System for Mobile Communications(GSM(登録商標))は、ユニバーサルモバイルテレコミュニケーションシステム(UMTS)の一部である。特に、ロングタームエボリューション(LTE)は、E-UTRAを使用するUMTSのリリースである。UTRA、E-UTRA、GSM(登録商標)、UMTSおよびLTEは、「第3世代パートナーシッププロジェクト」(3GPP)という名称の組織から提供された文書に記載されており、cdma2000は、「第3世代パートナーシッププロジェクト2」(3GPP2)という名称の組織からの文書に記載されている。これらの様々な無線技術および規格は、知られているか、または開発中である。たとえば、第3世代パートナーシッププロジェクト(3GPP)は、世界的に適用可能な第3世代(3G)モバイルフォン仕様を定義することを目的とする電気通信協会のグループ間の共同作業である。3GPPロングタームエボリューション(LTE)は、ユニバーサルモバイルテレコミュニケーションシステム(UMTS)モバイルフォン規格を改善することを目的とした3GPPプロジェクトである。3GPPは、次世代のモバイルネットワーク、モバイルシステム、およびモバイルデバイスのための仕様を定義し得る。本開示は、一連の新しい異なる無線アクセス技術または無線エアインターフェースを使用するネットワーク間のワイヤレススペクトルへの共有アクセスを伴うLTE、4G、5G、NR、およびそれ以降からのワイヤレス技術の発展に関係がある。
【００１７】
特に、5Gネットワークは、OFDMベースの統合されたエアインターフェースを使用して実装され得る多様な展開、多様なスペクトル、ならびに多様なサービスおよびデバイスを企図する。これらの目標を達成するために、LTEおよびLTE-Aに対するさらなる改良が、5G NRネットワークのニューラジオ(NR)技術の発展に加えて考慮される。5G NRは、(1)超高密度(たとえば、約100万個のノード/km2)、超低複雑度(たとえば、約数十ビット/秒)、超低エネルギー(たとえば、約10年以上のバッテリー寿命)、および困難なロケーションに到達する能力を有する深いカバレージを有するマッシブモノのインターネット(IoT)への、(2)慎重な扱いを要する個人情報、金融情報または機密情報を保護するための強力なセキュリティ、超高信頼性(たとえば、約99.9999%の信頼性)、超低レイテンシ(たとえば、約1ms)、およびモビリティの広い範囲を有するか、またはそれを欠くユーザを伴うミッションクリティカルな制御を含む、ならびに(3)超高容量(たとえば、約10Tbps/km2)、超高データレート(たとえば、マルチGbpsレート、100Mbps以上のユーザエクスペリエンスレート)、ならびに先進的な発見および最適化に対する深い認識を含む強化されたモバイルブロードバンドを含む、カバレージを提供するためにスケーリングすることが可能である。
【００１８】
5G NRは、スケーラブルなヌメロロジーおよび送信時間間隔(TTI)を伴い、動的な低レイテンシ時分割複信(TDD)/周波数分割複信(FDD)設計とともにサービスおよび特徴を効率的に多重化するための共通の柔軟な枠組みを有し、マッシブ多入力多出力(MIMO)、ロバストなミリ波(mmWave)送信、先進的なチャネルコーディング、およびデバイス中心のモビリティなどの先進的なワイヤレス技術を伴う形で、最適化されたOFDMベースの波形を使用するように実装され得る。サブキャリア間隔のスケーリングを伴う、5G NRにおけるヌメロロジーのスケーラビリティは、多様なスペクトルおよび多様な展開にわたる多様なサービスの活動に効率的に対処し得る。たとえば、3GHz未満のFDD/TDD実装の様々な屋外およびマクロカバレージ展開では、サブキャリア間隔は、たとえば、1、5、10、20MHzなどの帯域幅に対して15kHzで発生し得る。3GHz超のTDDの他の様々な屋外およびスモールセルカバレージ展開の場合、サブキャリア間隔は、80/100MHzの帯域幅に対して30kHzで発生し得る。5GHz帯域の無認可部分でTDDを使用する他の様々な屋内広帯域実装の場合、サブキャリア間隔は、160MHzの帯域幅に対して60kHzで発生し得る。最後に、28GHzのTDDにおいてmmWave成分で送信する様々な展開の場合、サブキャリア間隔は、500MHzの帯域幅に対して120kHzで発生し得る。
【００１９】
5G NRのスケーラブルなヌメロロジーは、多様なレイテンシおよびサービス品質(QoS)要件に対するスケーラブルなTTIを容易にする。たとえば、より短いTTIは、低レイテンシおよび高信頼性に対して使用され得る一方、より長いTTIは、より高いスペクトル効率に対して使用され得る。長いTTIおよび短いTTIの効率的な多重化は、送信がシンボル境界上で開始することを可能にするためのものである。5G NRはまた、同じサブフレームにおけるアップリンク/ダウンリンクスケジューリング情報、データ、および確認応答を伴う自己完結的な統合されたサブフレーム設計を企図する。自己完結的な統合されたサブフレームは、無認可または競合ベースの共有スペクトル、現在のトラフィックニーズを満たすためにアップリンクとダウンリンクとの間で動的に切り替えるようにセルごとに柔軟に構成され得る適応的アップリンク/ダウンリンクにおける通信をサポートする。
【００２０】
本開示の様々な他の態様および特徴について、以下でさらに説明する。本明細書の教示は多種多様な形態で具現化され得ること、および、本明細書で開示する任意の特定の構造、機能、または両方は代表的なものにすぎず、限定するものではないことは明らかであろう。本明細書の教示に基づいて、当業者は、本明細書で開示する一態様が任意の他の態様とは無関係に実装され得ること、および、これらの態様のうちの2つ以上が様々な方法で組み合わされ得ることを諒解されよう。たとえば、本明細書に記載の任意の数の態様を使用して、装置が実装されてよく、または方法が実践されてよい。加えて、本明細書に記載の態様のうちの1つもしくは複数に加えて、またはそれら以外の他の構造、機能、または構造および機能を使用して、そのような装置が実装されてよく、またはそのような方法が実践されてよい。たとえば、システム、デバイス、装置の一部として、かつ/またはプロセッサもしくはコンピュータ上で実行するためのコンピュータ可読媒体上に記憶された命令として、方法が実装されてもよい。さらに、一態様は、請求項の少なくとも1つの要素を含み得る。
【００２１】
図1は、本開示の態様に従って構成された様々な基地局およびUEを含む5Gネットワーク100を示すブロック図である。5Gネットワーク100は、いくつかの基地局105と他のネットワークエンティティとを含む。基地局は、UEと通信する局であってよく、発展型ノードB(eNB)、次世代eNB(gNB)、アクセスポイントなどと呼ばれることもある。各基地局105は、特定の地理的エリアに通信カバレージを提供し得る。3GPPでは、「セル」という用語は、この用語が使用される状況に応じて、カバレージエリアにサービスしている基地局および/または基地局サブシステムのこの特定の地理的カバレージエリアを指すことができる。
【００２２】
基地局は、マクロセル、またはピコセルもしくはフェムトセルなどのスモールセル、および/または他のタイプのセルに通信カバレージを提供することができる。マクロセルは、一般に、比較的大きい地理的エリア(たとえば、半径数キロメートル)をカバーし、ネットワークプロバイダのサービスに加入しているUEによる無制限アクセスを可能にすることができる。ピコセルなどのスモールセルは、一般に、比較的小さい地理的エリアをカバーし、ネットワークプロバイダのサービスに加入しているUEによる無制限アクセスを可能にすることができる。フェムトセルなどのスモールセルも、一般に、比較的小さい地理的エリア(たとえば、自宅)をカバーし、無制限アクセスに加えて、フェムトセルとの関連付けを有するUE(たとえば、限定加入者グループ(CSG)内のUE、自宅内のユーザのためのUEなど)による制限付きアクセスも提供することができる。マクロセル用の基地局は、マクロ基地局と呼ばれることがある。スモールセル用の基地局は、スモールセル基地局、ピコ基地局、フェムト基地局またはホーム基地局と呼ばれることがある。図1に示す例では、基地局105dおよび105eは、通常のマクロ基地局である一方、基地局105a〜105cは、3次元(3D)MIMO、全次元(FD:full dimension)MIMO、またはマッシブMIMOのうちの1つに対応可能なマクロ基地局である。基地局105a〜105cは、カバレージおよび容量を増大させるために仰角と方位角の両方のビームフォーミングで3Dビームフォーミングを活用するために、それらのより高い次元のMIMO能力を利用する。基地局105fは、ホームノードまたはポータブルアクセスポイントであり得るスモールセル基地局である。基地局は、1つまたは複数(たとえば、2つ、3つ、4つなど)のセルをサポートすることができる。
【００２３】
5Gネットワーク100は、同期動作または非同期動作をサポートすることができる。同期動作の場合、基地局は、同様のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。
【００２４】
UE115は、ワイヤレスネットワーク100全体にわたって分散され、各UEは固定されていても移動式であってもよい。UEは、端末、移動局、加入者ユニット、局などと呼ばれることもある。UEは、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。一態様では、UEは、ユニバーサル集積回路カード(UICC)を含むデバイスでもよい。別の態様では、UEは、UICCを含まないデバイスでもよい。いくつかの態様では、UICCを含まないUEは、internet of everything(IoE)デバイスと呼ばれることもある。UE115a〜115dは、5Gネットワーク100にアクセスするモバイルスマートフォン型デバイスの例である。UEはまた、マシン型通信(MTC)、強化MTC(eMTC:enhanced MTC)、狭帯域IoT(NB-IoT)などを含む、接続された通信のために特別に構成された機械であり得る。UE115e〜115kは、5Gネットワーク100にアクセスする通信のために構成された様々な機械の例である。UEはまた、マクロ基地局、スモールセルなどを問わず、任意のタイプの基地局と通信することが可能であり得る。図1では、稲妻(たとえば、通信リンク)は、UEと、ダウンリンクおよび/またはアップリンク上でUEにサービスするように指定された基地局であるサービング基地局との間のワイヤレス送信、または基地局間の所望の送信、および基地局間のバックホール送信を示す。
【００２５】
5Gネットワーク100における動作中、基地局105a〜105cは、3Dビームフォーミングおよび多地点協調(CoMP)またはマルチ接続などの協調空間技法を使用してUE115aおよび115bにサービスする。マクロ基地局105dは、基地局105a〜105c、ならびにスモールセル基地局105fとのバックホール通信を実行する。マクロ基地局105dはまた、UE115cおよび115dが加入し、UE115cおよび115dによって受信されるマルチキャストサービスを送信する。そのようなマルチキャストサービスは、モバイルテレビジョンまたはストリームビデオを含むことができ、または気象緊急事態またはアンバーアラートもしくはグレーアラートのような警報などのコミュニティ情報を提供するための他のサービスを含むことができる。
【００２６】
5Gネットワーク100はまた、ドローンであるUE115eなど、ミッションクリティカルなデバイスのための極めて信頼性が高く冗長なリンクでのミッションクリティカルな通信をサポートする。UE115eとの冗長な通信リンクは、マクロ基地局105dおよび105e、ならびにスモールセル基地局105fからのものを含む。UE115f(サーモメータ)、UE115g(スマートメータ)、およびUE115h(ウェアラブルデバイス)などの他のマシン型デバイスは、5Gネットワーク100を通じてスモールセル基地局105fおよびマクロ基地局105eなどの基地局と直接、またはマルチホップ構成においてその情報をネットワークに中継する別のユーザデバイスと通信することによって(UE115fが温度測定情報をスマートメータUE115gに通信し、次いでその情報がスモールセル基地局105fを通じてネットワークに報告されるなど)通信し得る。5Gネットワーク100はまた、マクロ基地局105eと通信するUE115i〜115k間のビークル間(V2V)メッシュネットワーク中など、動的な低レイテンシTDD/FDD通信を通じてさらなるネットワーク効率をもたらし得る。
【００２７】
図2は、図1の基地局のうちの1つおよびUEのうちの1つであり得る、基地局105およびUE115の設計のブロック図を示す。基地局105において、送信プロセッサ220は、データソース212からデータを受信し、コントローラ/プロセッサ240から制御情報を受信し得る。制御情報は、PBCH、PCFICH、PHICH、PDCCH、EPDCCH、MPDCCHなどについてのものであり得る。データは、PDSCHなどについてのものであり得る。送信プロセッサ220は、データおよび制御情報を処理(たとえば、符号化およびシンボルマッピング)して、それぞれ、データシンボルおよび制御シンボルを取得することができる。送信プロセッサ220は、たとえば、PSS、SSS、およびセル固有基準信号に関する基準シンボルを生成してもよい。送信(TX)多入力多出力(MIMO)プロセッサ230は、該当する場合、データシンボル、制御シンボル、および/または基準シンボルに対して空間処理(たとえば、プリコーディング)を実行することができ、出力シンボルストリームを変調器(MOD)232a〜232tに提供することができる。各変調器232は、(たとえば、OFDMなどのために)それぞれの出力シンボルストリームを処理して、出力サンプルストリームを取得することができる。各変調器232は、出力サンプルストリームをさらに処理(たとえば、アナログに変換、増幅、フィルタリング、およびアップコンバート)して、ダウンリンク信号を取得することができる。変調器232a〜232tからのダウンリンク信号は、それぞれ、アンテナ234a〜234tを介して送信される場合がある。
【００２８】
UE115において、アンテナ252a〜252rは、基地局105からダウンリンク信号を受信することができ、それぞれ、受信信号を復調器(DEMOD)254a〜254rに提供することができる。各復調器254は、それぞれの受信信号を調整(たとえば、フィルタリング、増幅、ダウンコンバート、およびデジタル化)して、入力サンプルを取得することができる。各復調器254は、(たとえば、OFDMなどのために)入力サンプルをさらに処理して、受信シンボルを取得することができる。MIMO検出器256は、すべての復調器254a〜254rから受信シンボルを取得し、該当する場合、受信シンボルに対してMIMO検出を実行し、検出されたシンボルを提供することができる。受信プロセッサ258は、検出されたシンボルを処理(たとえば、復調、デインターリーブ、および復号)し、UE115のための復号されたデータをデータシンク260に提供し、復号された制御情報をコントローラ/プロセッサ280に提供することができる。
【００２９】
アップリンク上で、UE115において、送信プロセッサ264は、データソース262からの(たとえば、PUSCHについての)データを受信および処理し、コントローラ/プロセッサ280からの(たとえば、PUCCHについての)制御情報を受信および処理する場合がある。送信プロセッサ264は、基準信号に関する基準シンボルを生成してもよい。送信プロセッサ264からのシンボルは、該当する場合、TX MIMOプロセッサ266によってプリコーディングされ、(たとえばSC-FDMなどのために)変調器254a〜254rによってさらに処理され、基地局105に送信され得る。基地局105において、UE115からのアップリンク信号は、アンテナ234によって受信され、復調器232によって処理され、該当する場合、MIMO検出器236によって検出され、受信プロセッサ238によってさらに処理されて、UE115によって送られた復号されたデータおよび制御情報を取得することができる。プロセッサ238は、復号されたデータをデータシンク239に提供し、復号された制御情報をコントローラ/プロセッサ240に提供する場合がある。
【００３０】
コントローラ/プロセッサ240および280は、それぞれ、基地局105およびUE115における動作を指示し得る。基地局105におけるコントローラ/プロセッサ240ならびに/または他のプロセッサおよびモジュールは、本明細書で説明する技法の様々なプロセスの実行を実施または指示することができる。また、UE115におけるコントローラ/プロセッサ280ならびに/または他のプロセッサおよびモジュールは、図5A〜図5Bに示される機能ブロック、および/または本明細書において説明される技法のための他のプロセスを実行するか、または実行を指示することができる。メモリ242および282は、それぞれ基地局105およびUE115のためのデータおよびプログラムコードを記憶することができる。スケジューラ244は、ダウンリンクおよび/またはアップリンク上のデータ送信のためにUEをスケジュールすることができる。
【００３１】
異なるネットワーク操作エンティティ(たとえば、ネットワークオペレータ)によって動作させられるワイヤレス通信システムは、スペクトルを共有することができる。いくつかの事例では、ネットワーク操作エンティティは、別のネットワーク操作エンティティが、指定された共有スペクトルの全体を異なる時間期間に使う前の時間期間だけは少なくとも、指定された共有スペクトルの全体を使うように構成され得る。したがって、ネットワーク操作エンティティに、完全な指定された共有スペクトルの使用を許すために、および異なるネットワーク操作エンティティの間の干渉通信を緩和するために、いくつかのリソース(たとえば、時間)が、区分され、ある特定のタイプの通信のために異なるネットワーク操作エンティティに割り振られてよい。
【００３２】
たとえば、ネットワーク操作エンティティには、共有スペクトルの全体を使う、ネットワーク操作エンティティによる排他通信のために予約された、いくつかの時間リソースが割り振られ得る。ネットワーク操作エンティティには、他の時間リソースも割り振ることができ、この場合、エンティティは、共有スペクトルを使用して通信するための、他のネットワーク操作エンティティに勝る優先権を与えられる。ネットワーク操作エンティティによる使用のために優先される、これらの時間リソースは、優先されるネットワーク操作エンティティがリソースを利用しない場合、他のネットワーク操作エンティティによって機会主義的に利用される場合がある。追加時間リソースが、機会主義的に使うために、どのネットワークオペレータに割り振られてもよい。
【００３３】
共有スペクトルへのアクセスおよび異なるネットワーク操作エンティティの間での時間リソースの調停は、別個のエンティティによって中心的に制御され、あらかじめ定義された調停方式によって自律的に判断され、またはネットワークオペレータのワイヤレスノードの間の対話に基づいて動的に判断され得る。
【００３４】
場合によっては、UE115および基地局105は、認可または無認可(たとえば、競合ベースの)周波数スペクトルを含み得る共有無線周波数スペクトル帯域内で動作し得る。共有無線周波数スペクトル帯域の無認可周波数部分において、UE115または基地局105は、従来から、周波数スペクトルへのアクセスをめぐって争うために、媒体検知手順を実行し得る。たとえば、UE115または基地局105は、共有チャネルが利用可能であるかどうかを判定するために、通信するのに先立って、クリアチャネルアセスメント(CCA:clear channel assessment)などのリッスンビフォアトーク(LBT)手順を実行することができる。CCAは、任意の他のアクティブな送信があるかどうかを判定するためのエネルギー検出手順を含み得る。たとえば、デバイスは、電力メータの受信信号強度インジケータ(RSSI)の変化が、チャネルが占有されていることを指示すると推論し得る。具体的には、一定の帯域幅に集中し、所定の雑音フロアを超える信号電力は、別のワイヤレス送信機を指示し得る。CCAはまた、チャネルの使用を指示する特定のシーケンスの検出を含み得る。たとえば、別のデバイスは、データシーケンスを送信するのに先立って特定のプリアンブルを送信することができる。場合によっては、LBT手順は、ワイヤレスノードが、チャネル上で検出されたエネルギー量および/または衝突のプロキシとしてその独自の送信パケットに対する肯定応答/否定応答(ACK/NACK)フィードバックに基づいて、その独自のバックオフウィンドウを調整することを含み得る。
【００３５】
無認可の共有スペクトルに対するアクセスを競合するための媒体検知手順の使用は、結果として、通信を非効率的にし得る。これは、複数のネットワーク操作エンティティ(たとえば、ネットワークオペレータ)が共有リソースに対するアクセスを試みているときに特に明らかであり得る。5Gネットワーク100において、基地局105およびUE115は、同じまたは異なるネットワーク操作エンティティによって動作させられてよい。いくつかの例では、個々の基地局105またはUE115は、2つ以上のネットワーク操作エンティティによって動作させられてよい。他の例では、各基地局105およびUE115は、単一のネットワーク操作エンティティによって動作させられてよい。共有リソースを競合することを異なるネットワーク操作エンティティの各基地局105およびUE115に要求することは、結果として、シグナリングオーバヘッドおよび通信レイテンシを増大させる場合がある。
【００３６】
通信ネットワーク100では、1つまたは複数のUE115がUL上で情報を送信したい場合がある。データがULにおいて送信に使用できるようになると、UEは、少なくともBSRを送信するためにULリソースにアクセスできなくなる場合がある。そのような場合、UEのMACは、スケジューリング要求(SR)をトリガすることがある。SRは、送信のためのアップリンクリソースを要求するために使用されることがある。たとえば、UE115は、新しいアップリンク送信のためにUL-SCHリソースを要求するためにSRを送信してもよい。
【００３７】
SRは、アップリンク制御チャネル(PUCCH)において送信されてもよい。SRの構成は、UEのために事前構成されてもよい。たとえば、基地局は、RRCシグナリングを介したSR構成でUEを構成してもよい。SR構成は、sr-PUCCH-ResourceIndex、sr-CongifIndexなどを示す場合がある。実施形態では、sr-PUCCH-ResourceIndexは、周波数ドメインにおけるSRリソースを示す。実施形態において、sr-CongifIndexは、時間ドメインにおけるRSリソースを示す。構成パラメータに基づいて、UEは、SRの周期およびオフセットを計算し、示された時間および周波数リソースで必要に応じてSRを送信してもよい。
【００３８】
LTEの例では、基地局によって定義された構成パラメータに基づいて、UEは、SRの周期を計算し、次のスケジュールされたSR機会の間にSRを送信してもよい。とはいえ、ユーザがより高速なデータ速度を要求するにつれて、上記で説明したように、追加のサービスが提供されており、追加のサービスのレイテンシ要件は低くなっている。したがって、低レイテンシ要件を満たすために、UEは、許可ベースのUL送信のためにSRをできるだけ速く送信する必要がある場合がある。したがって、SR機会間の周期を低減することが望まれる。それにもかかわらず、データ通信の増加を要求するユーザをなだめるために遅延要件が低いサービスをサポートすることに加えて、UEは、遅延要件が高い他のサービス(たとえば、レガシーサービス)を同時にサポートしてもよい。
【００３９】
そのため、ネットワークは、遅延要件が低いサービスおよび遅延要件が高いサービスで複数の通信をサポートすることが望まれる。したがって、ネットワークは、異なるサービス(たとえば、異なる優先度のサービス)で通信する能力を有することで恩恵を受けることになる。サービスのいくつかの例には、限定はしないが、5G NR eMBB、5G NR URLLC、IoT、LTE ULL、LTE HRLLCなどがある。サービスは、優先度レベルに従ってランク付けされてもよい。たとえば、URLLCは、eMBBよりも高い優先度レベルを有するとランク付けされてもよく、当然、ランク付けレベルは、必要に応じて異なるように定義されてもよい。実施形態では、ランク付けレベルは、レイテンシ要件、サービス品質要件などに基づいてもよい。当然、ランク付けレベルは、必要に応じて他の情報、ルール、および/または要件に基づいてもよい。さらに、ユーザ側デバイス(たとえば、UE)および/またはネットワーク側デバイス(たとえば、基地局)は、様々なサービスのランク付けレベルがわかるように構成されてもよい。
【００４０】
優先度の異なる複数のサービスをサポートするように設計されたネットワークでは、特定のサービスのニーズに応じて、ULリソースを要求するようにUEを構成されてもよい。たとえば、UEは、それに応じて送信機会を割り振るために、より優先度の低いサービスのSR機会と比較して、優先度のより高いサービスのSR機会がより高いレートで利用できるように構成されてもよい。さらに、優先度の異なる複数のサービスをサポートするように設計されたネットワークでは、それに応じてULリソースを割り当てるために、優先度の異なるサービスで受信されたSRを区別するように、基地局が構成されてもよい。
【００４１】
実施形態では、異なるサービスのSRは、異なるように構成されてもよい。たとえば、eMBBのSRは、URLLCのSRとは異なるように構成されてもよい。SRを異なるように構成することによって、基地局は、SRを区別することができる。
【００４２】
実施形態では、(複数のサービスの)各サービスは、SRリソースのセットを有している場合がある。SRリソースは、異なるパラメータの影響を受ける場合がある。パラメータの例には、限定はしないが、周期、オフセット、禁止タイマー(prohibit timer)、試行の最大回数などがあり得る。
【００４３】
図3は、より優先度の高いサービス302と比較して異なる期間を有するより優先度の低いサービス301の時間ドメインにおける例を示す。この例では、SR機会は、303a〜303nおよび304a〜304nで示されている。したがって、この例では、より優先度の低いサービス301は、より優先度の高いサービス302と比較して長い期間を有する。実施形態では、より優先度の低いサービス301はeMBB、より優先度の高いサービス302はURLLCでもよい。図3に示す例は、説明のために2つの異なるサービスのみを示しているが、当然、ネットワークは、優先度レベルに従って各々ランク付けされた任意の数の異なるサービスをサポートするように構成されてもよい。ネットワークは、異なるサービスの各々が、UEおよび基地局によって計算可能なそれら自体の個別のSR機会を有するように構成されてもよい。明快のために、この例は、2つの異なるサービスで進める。
【００４４】
実施形態では、UE115は、より優先度の高いサービスのために構成されたSR機会の間に、より優先度の高いサービスのためのSR送信のみを送信するように構成されてもよい。さらに、UE115は、より優先度の低いサービスのために構成されたSR機会の間に、より優先度の低いサービスのためのSR送信のみを送信するように構成されてもよい。そのような実施形態では、基地局は、少なくともSR送信のタイミングに基づいて、より優先度の高いSRをより優先度の低いSRから区別してもよい。
【００４５】
実施形態では、UE115は、そのより優先度の低いサービスのために構成されたSR機会の間に、より優先度の低いサービスのためのSR送信のみを送信するように構成されてもよいが、任意のSR機会(たとえば、より優先度の高いSR機会304またはより優先度の低いSR機会303)の間に、より優先度の高いサービスのためのSR送信を送信するように構成されてもよい。そのような実施形態では、基地局は、SR送信のタイミングに加えて、情報を使用して、より優先度の高いSRをより優先度の低いSRから区別してもよい。一例では、基地局は、少なくともSRのPUCCHフォーマットに基づいてSRを区別してもよい。実施形態では、より優先度の低いSRは、長いPUCCH(たとえば、eMBB)を使用してもよく、より優先度の高いSRは、短いPUCCHフォーマット(たとえば、URLLC)を使用してもよい。
【００４６】
時々、たとえば、高優先度および低優先度の新しいデータが、アップリンクで送信されるように同時に到着したときなど、UEが同時に送信できる複数のSR(またはSRの複数の優先度レベル)を有する状況が発生する場合がある。複数のSR(またはSRの複数の優先度レベル)を同時に送信すると、SR衝突が発生する場合がある。2つ以上のSRのSR衝突によって、衝突するSRのうちの1つまたは複数の情報の損失がもたらされることがある。したがって、SR衝突を回避することが望ましい。実施形態では、UEおよび/または基地局は、SR衝突がSR機会に発生する可能性があると決定する場合がある。潜在的なSR衝突のこの予想に基づいて、UEおよび/または基地局は、以下で説明するように、衝突を防ぐための措置を講じることがある。
【００４７】
実施形態では、並列送信を介してSR衝突が回避される可能性がある。たとえば、実施形態では、UEは、複数のSRの並列送信のために構成され、複数のSRのいくつかは、異なる優先度レベルのものでもよい。これらのUEには、並列送信を防止する可能性のある電力制限がない場合がある。実施形態では、UEは、SRのサービス優先度レベルに関係なく、1つまたは複数の利用可能なSRを送信するように構成されてもよい。実施形態では、UEは、サブセットサービス優先度レベルの1つまたは複数の利用可能なSRを送信するように構成されてもよい。一例では、ネットワークは、それぞれ低、中、および高の優先度レベルを有するとそれぞれ定義された第1、第2、および第3のサービスをサポートしてもよい。このネットワークのUEは、高優先度のSR機会の間に高優先度のSRを送信し、中優先度のSR機会の間に高優先度および中優先度のSRを送信し、低優先度のSR機会の間に高優先度、中優先度、および低優先度のSRを送信するように構成されてもよい。
【００４８】
実施形態では、UEは、SR機会の間に単一のSR(または単一の優先度タイプのSR)を送信することによって、SR衝突を回避してもよい。このSR衝突回避構成は、UEの電力が制限されているときに使用されてもよい。さらに、このSR衝突回避構成は、異なる期間のPUCCHの同時送信をサポートしないネットワークで使用されてもよい。たとえば、より長いPUCCHにわたって位相連続性を維持することが困難または不可能であるネットワークでは、異なる持続時間のPUCCHの送信が回避されてもよい。
【００４９】
SR機会の間に単一のSRを送信する実施形態では、UEは、複数の利用可能なSRのうちのどのSRがSR機会の間に送信するかを決定してもよい。UEは、SRの優先度レベルに基づいてSRを選択してもよい。たとえば、SR1が高優先度レベルの第1のサービスをサポートし、SR2が低優先度レベルの第2のサービスをサポートする場合、SR1の優先度が高いので、UEは、特定のSR機会での送信にSR1を選択してもよい。たとえば、UEは、次のSR機会における送信のために、eMBB SRよりもURLLC SRを選択してもよい。UEが3つの異なる優先度レベルの3つのSRから選択している実施形態では、UEは、次のSR機会における送信のために最高の優先度レベルのSRを選択してもよい。当然、UEは、異なるように選択するように構成されてもよく、たとえば、1つまたは複数の理由(たとえば、SR機会のタイプ)のために、より優先度の高いSRよりも優先度の低いSRが選択されてもよい。送信のためにSRを選択すると、UEは、選択されていないSRをドロップしてもよい。さらに、UEは、別のSR機会まで、選択されていないSRの送信を遅らせてもよい。当然、上記の例は、SR機会の間に単一のタイプのSRを送信する実施形態に拡張されてもよく、UEは、SR機会の間に送信するSRのタイプを決定する。
【００５０】
実施形態では、SRは、1ビットSRとして構成されてもよく、マルチビットSRとして構成されてもよい。SRがマルチビットSRとして構成される実施形態では、SRは、1つのサービスまたは複数のサービスのためのULリソースが要求されるかどうかを示してもよい。たとえば、ビットのうちの1つまたは複数は、1つ、2つ、またはそれ以上の異なるサービスがULリソースを要求していることを示す場合がある。さらに、ビットのうちの1つまたは複数は、SRで異なるサービスのうちのどれが要求されているかを示してもよい。たとえば、ビットのうちの1つまたは複数は、より優先度の高いサービス(たとえば、URLLC)およびより優先度の低いサービス(たとえば、eMBB)についてULサービスが要求されていることを示してもよい。マルチビットSRを使用して複数のサービスのリソースを要求することは、衝突を回避する別の方法である。たとえば、UEが同時に送信に使用できる2つのSRの選択に直面する代わりに、複数のULリソース要求がマルチビットSRである単一のSRにパッケージ化され、同時に送信される別のSRと衝突するリスク無しに、次のSR機会にマルチビットSRが送信される。
【００５１】
図4Aおよび図4Bは、SR中断が処理される実施形態を示す。たとえば、低優先度のSRが送信中に、高優先度のSRが送信に使用できるようになる場合がある。この状況を仮定すれば、UEを、現在送信中のSRを中断するように構成してもよい。本明細書で説明するSRの任意の構成をサポートするネットワークは、この状況を経験する可能性がある。たとえば、マルチビットSR構成では、送信の処理中のマルチビットSRは、低および中のサービスのULリソース要求を含んでいる可能性があり、新しく利用可能なマルチビットSRは、高優先度のサービスのULリソース要求を含む可能性がある。
【００５２】
図4Aは、UEが低優先度のSRの送信を中断して、新たに利用可能な高優先度のSRの送信を開始する一例を示す。この例では、SR機会が利用可能になると、UE115は、低優先度のSR401を送信することを決定する。送信を開始した後、新しいSR402が利用可能になり、その新しいSR402は、低優先度のSR401のサービスよりも高いサービスのものである。実施形態では、UEは、低優先度のSR403を中断し、高優先度のSR404の送信を開始するように構成される。
【００５３】
実施形態では、UEは、中断を実行するかどうかを決定するように構成される。たとえば、決定は、少なくとも、現在送信中のSRと新しい高優先度のSRとの間の優先度レベル差の量に基づいてもよい。たとえば、UEは、低優先度のSRを中断して高優先度のSRを送信してもよいが、UEは、中優先度のSRを中断して高優先度のSRを送信しなくてもよい。この決定は、少なくとも、現在のSR機会に残っている時間の量に基づいてもよい。たとえば、UEは、SR機会には、より優先度の高いSRを完全に送信するのに十分な残り時間が不足している場合、または中断を実行する複雑さが増すために、現在のSR送信を中断することを控えてもよい。UEは、現在の低優先度の送信を中断するかどうかを決定するための任意の数および組合せのルールで構成されてもよい。
【００５４】
図4Bは、上記の中断を実行しないUEの一例を示す。UEは、中断がオプションではないように構成されてもよい。UEは、SR機会の間に新しいSRが利用可能になった場合に並列送信を実行するように構成されてもよい。さらに、UEは、(たとえば、電力能力に基づいて)中断を実行するのではなく、並列送信を実行することを決定するように構成されてもよい。
【００５５】
実施形態では、サービスは、UEおよび基地局によって計算可能であるそれら自体のパラメータ(たとえば、周期、オフセットなど)を各々有する複数セットのSR構成で構成されてもよい。したがって、非周期的なSR機会はネットワークによってサポートされる。たとえば、図3において、より優先度の低いサービス301は、時刻tに開始する1msの期間にSR機会を有している場合がある。必要な場合、ネットワークは、時刻t+x(たとえば、xのオフセットなど)に開始する1msの期間にSR機会を追加することによって、SR機会を倍にする場合がある。当然、任意の優先サービスは、必要に応じて、SR機会を増やして構成されてもよい。さらに、様々なSR機会のオフセットおよび期間は、必要に応じて変化してもよい。
【００５６】
図5Aは、ネットワークが複数のサービスをサポートする例示的な方法を示す。ステップ500で、ネットワークの1つまたは複数の送信機および/または受信機は、複数のサービス(たとえば、5G NR eMBB、5G NR URLLC、IoT、LTE ULL、LTE HRLLCなど)を介して通信する。ステップ502で、ネットワークの1つまたは複数の送信機および/または受信機は、異なるサービスのための異なるSR構成を通信する。ステップ504で、ネットワークの1つまたは複数のプロセッサは、SR衝突の機会を検出する。ステップ506で、ネットワークの1つまたは複数のプロセッサは、潜在的な衝突をどのように解決するかを決定する。ステップ508で、ネットワークの1つまたは複数のプロセッサは、予想される衝突を解決する。図5Aで、1つまたは複数のプロセッサは、ユーザ側(たとえば、UE)および/またはサーバ側(たとえば、基地局)でもよい。
【００５７】
図5Bは、UEが複数のサービスをサポートする例示的な方法を示す。ステップ501で、UEの1つまたは複数の送信機は、複数のサービス(たとえば、5G NR eMBB、5G NR URLLC、IoT、LTE ULL、LTE HRLLCなど)を介して送信する。ステップ503で、UEの1つまたは複数の送信機は、異なるサービスのための異なるSR構成に従って送信する。ステップ505で、UEの1つまたは複数のプロセッサは、SR衝突の機会を検出する。ステップ507で、UEの1つまたは複数のプロセッサは、潜在的な衝突をどのように解決するかを決定する。UEは、上記の任意の決定技法に従って決定を行ってもよい。実施形態で、UEは、ネットワークにより定義される解決技法に従って可能性を解決するように構成されてもよい。そのような状況では、UEは、決定507をスキップし、代わりに、検出ステップ505から解決ステップ509に移動するように構成されてもよい。ステップ509で、UEの1つまたは複数のプロセッサは、予想される衝突を解決する。UEは、上記の任意の解決技法に従って予想される衝突を解決してもよい。
【００５８】
図5Cは、基地局が複数のサービスをサポートする例示的な方法を示す。ステップ511で、基地局の1つまたは複数の受信機は、複数のサービス(たとえば、5G NR eMBB、5G NR URLLC、IoT、LTE ULL、LTE HRLLCなど)を介してULリソース要求を受信する。ステップ513で、基地局の1つまたは複数の受信機は、異なるサービスのための異なるSR構成に従って、ULリソース要求を受信する。ステップ515で、基地局の1つまたは複数のプロセッサは、SR衝突の潜在的な機会を検出する。衝突の潜在的な機会は、第1のサービスのSR機会が第2のサービスのSR機会と重複するときに発生する可能性がある。ステップ517で、基地局の1つまたは複数のプロセッサは、潜在的な衝突をどのように解決するかを決定する。一例では、基地局は、1つまたは複数のSR機会を一時停止することによって、重複するSR機会を解決してもよい。実施形態では、基地局は、1つまたは複数のより低いSR機会を一時停止し、最高のSR機会を一時停止することを控えてもよい。一部のネットワークでは、基地局を、すべての重複するSR機会を単純に一時停止するように構成してもよい。そのような状況では、基地局は、決定517をスキップし、代わりに、検出ステップ515から解決ステップ519に移動するように構成されてもよい。ステップ509で、基地局の1つまたは複数のプロセッサは、予想される衝突を解決する。
【００５９】
情報および信号が多種多様な技術および技法のいずれかを使用して表されてよいことを、当業者は理解されよう。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【００６０】
図4A、および図5A〜図5Cの機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００６１】
本明細書で本開示に関連して説明した様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアとソフトウェアとのこの互換性を明確に示すために、様々な例示的な構成要素、ブロック、モジュール、回路、およびステップが、一般にそれらの機能に関して上述されている。そのような機能がハードウェアまたはソフトウェアのいずれとして実現されるのかは、特定の適用例と、システム全体に課される設計制約とによって決まる。当業者は説明した機能を特定の適用例ごとに様々な方法で実装し得るが、そのような実装の決定は、本開示の範囲からの逸脱を引き起こすものと解釈されるべきでない。当業者はまた、本明細書で説明する構成要素、方法、または相互作用の順序または組合せは例にすぎないこと、および、本開示の様々な態様の構成要素、方法、または相互作用は、本明細書で図示および説明する方法とは異なる方法において組み合わされるか、または実行される場合があることを容易に認識されよう。
【００６２】
本明細書の開示に関して説明する様々な例示的な論理ブロック、モジュール、および回路は、本明細書で説明する機能を実行するように設計された、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、またはそれらの任意の組合せを用いて、実装または実行され得る。汎用プロセッサはマイクロプロセッサであってもよいが、代替として、プロセッサは任意の従来のプロセッサ、コントローラ、マイクロコントローラ、またはステートマシーンであってもよい。プロセッサはまた、コンピューティングデバイスの組合せ、たとえば、DSPおよびマイクロプロセッサの組合せ、複数のマイクロプロセッサ、DSPコアと連携する1つもしくは複数のマイクロプロセッサ、または任意の他のそのような構成、として実装されてもよい。
【００６３】
本明細書の開示に関して説明する方法またはアルゴリズムのステップは、直接ハードウェアにおいて、プロセッサによって実行されるソフトウェアモジュールにおいて、またはその2つの組合せにおいて具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野において知られている任意の他の形態の記憶媒体に存在する場合がある。例示的な記憶媒体は、プロセッサが記憶媒体から情報を読み取ること、および記憶媒体に情報を書き込むことができるように、プロセッサに結合される。代替として、記憶媒体は、プロセッサと一体化してよい。プロセッサおよび記憶媒体は、ASICに存在する場合がある。ASICはユーザ端末に存在する場合がある。代替として、プロセッサおよび記憶媒体は、個別の構成要素としてユーザ端末に存在する場合がある。
【００６４】
1つまたは複数の例示的な設計では、説明した機能は、ハードウェア、ソフトウェア、ファームウェア、またはそれらの任意の組合せにおいて実装されてよい。ソフトウェアで実装される場合、機能は、1つまたは複数の命令またはコードとしてコンピュータ可読媒体上に記憶され得るか、またはコンピュータ可読媒体を介して送信され得る。コンピュータ可読媒体は、コンピュータ記憶媒体と、ある場所から別の場所へのコンピュータプログラムの移転を容易にする任意の媒体を含む通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、あるいは命令もしくはデータ構造の形態の所望のプログラムコード手段を搬送もしくは記憶するために使用され得、汎用もしくは専用コンピュータ、または汎用もしくは専用プロセッサによってアクセスされ得る任意の他の媒体を備えることができる。また、接続は、コンピュータ可読媒体と適切に呼ばれる場合がある。たとえば、ソフトウェアが、同軸ケーブル、光ファイバケーブル、ツイストペア、またはデジタル加入者回線(DSL)を使用して、ウェブサイト、サーバ、または他のリモートソースから送信される場合、同軸ケーブル、光ファイバケーブル、ツイストペア、またはDSLは、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)およびblu-rayディスク(disc)を含み、ディスク(disk)は通常、データを磁気的に再生し、ディスク(disc)は、レーザーを用いてデータを光学的に再生する。上記の組合せもまた、コンピュータ可読媒体の範囲内に含まれるべきである。
【００６５】
特許請求の範囲内を含む本明細書で使用する「および/または」という用語は、2つ以上の項目の列挙において使用されるとき、列挙される項目のうちのいずれか1つが単独で用いられ得ること、または列挙される項目のうちの2つ以上の任意の組合せが用いられ得ることを意味する。たとえば、組成物が構成要素A、B、および/またはCを含んでいるものとして説明される場合、組成物は、Aのみ、Bのみ、Cのみ、AとBの組合せ、AとCの組合せ、BとCの組合せ、またはA、B、およびCの組合せを含んでいることがある。また、特許請求の範囲内を含む本明細書で使用する「のうちの少なくとも1つ」で終わる項目の列挙において使用される「または」は、たとえば、「A、B、またはCのうちの少なくとも1つ」という列挙が、AまたはBまたはCまたはABまたはACまたはBCまたはABC(すなわち、AおよびBおよびC)、あるいはそれらの任意の組合せにおけるこれらのいずれかを意味するような、選言的な列挙を示す。
【００６６】
本開示の上記の説明は、あらゆる当業者が本開示を作成または使用することを可能にするために提供されている。本開示の様々な変更が当業者に容易に明らかになり、本明細書で定義する一般原理は、本開示の趣旨または範囲から逸脱することなく他の変形形態に適用されてよい。したがって、本開示は、本明細書で説明した例および設計に限定されるものでなく、本明細書で開示した原理および新規の特徴と一致する最も広い範囲を与えられるべきである。
【符号の説明】
【００６７】
100  5Gネットワーク、通信ネットワーク
105  基地局
115  UE
212  データソース
220  送信プロセッサ
230  送信(TX)多入力多出力(MIMO)プロセッサ
232  変調器(MOD)
234  アンテナ
236  MIMO検出器
238  受信プロセッサ
239  データシンク
240  コントローラ/プロセッサ
242  メモリ
244  スケジューラ
252  アンテナ
254  復調器(DEMOD)
256  MIMO検出器
258  受信プロセッサ
260  データシンク
262  データソース
264  送信プロセッサ
266  TX MIMOプロセッサ
280  コントローラ/プロセッサ
282  メモリ
301  より優先順位の低いサービス
302  より優先順位の高いサービス
303  より優先順位の低いSR機会
304  より優先順位の高いSR機会
401  低優先度のSR
402  新しいSR
403  低優先度のSR
404  高優先度のSR
【図１】
2021507549.tif 000003
【図２】
2021507549.tif 000004
【図３】
2021507549.tif 000005
【図４Ａ】
2021507549.tif 000006
【図４Ｂ】
2021507549.tif 000007
【図５Ａ】
2021507549.tif 000008
【図５Ｂ】
2021507549.tif 000009
【図５Ｃ】
2021507549.tif 000010
【国際調査報告】
2021507549.tif 000011
2021507549.tif 000012